(57)【特許請求の範囲】
【請求項１】
表示手段に表示された、それぞれ医用画像に対応付けられた複数のサムネイル画像から複数のサムネイル画像を選択する選択手段と、
前記選択手段により選択された後に、前記選択手段により選択された複数のサムネイル画像に対応付けられた複数の医用画像それぞれの撮影条件に応じて、同一の撮影条件の医用画像同士が同一のグループとなるように前記複数の医用画像を複数のグループに分類する手段と、
前記複数のグループにおける１のグループである第１グループにおいて、前記第１グループに分類された複数の医用画像のうち第１医用画像を前記表示手段に表示させ、且つ、表示させる医用画像を前記第１医用画像から前記第１グループに分類された医用画像であって前記第１医用画像とは異なる第２医用画像に切り替える場合には前記表示手段に表示された前記第１医用画像に対する処理が施された状態で前記第２医用画像を前記表示手段に表示させる表示制御手段と、
を有することを特徴とする制御装置。
【請求項２】
前記表示制御手段は、前記第１医用画像から前記第２医用画像に切り替えて表示させるための表示形態を前記表示手段に表示させることを特徴とする請求項１に記載の制御装置。
【請求項３】
前記表示手段は、前記第１医用画像の拡大率、表示領域、表示スライス番号のうち少なくとも一つを前記第２医用画像に適用することにより、前記第１医用画像に対する処理が施された状態の前記第２医用画像を前記表示手段に表示させることを特徴とする請求項２に記載の制御装置。
【請求項４】
前記分類する手段は、前記撮影条件として撮影部位および撮影角度に応じて前記複数の医用画像を前記複数のグループに分類することを特徴とする請求項１乃至３のいずれか１項に記載の制御装置。
【請求項５】
前記分類する手段は、前記複数の医用画像のうち複数の同一部位のＸ線画像を同一のグループに分類し、
前記表示制御手段は、前記複数の同一部位のＸ線画像を前記表示手段における所定のタブにおいて表示させることを特徴とする請求項４に記載の制御装置。
【請求項６】
表示手段に表示された、それぞれ医用画像に対応付けられた複数のサムネイル画像から複数のサムネイル画像を選択する選択工程と、
前記選択工程において選択された複数のサムネイル画像に対応付けられた複数の医用画像それぞれの撮影条件に応じて、同一の撮影条件の医用画像同士が同一のグループとなるように前記複数の医用画像を複数のグループに分類する工程と、
前記複数のグループにおける１のグループである第１グループにおいて、前記第１グループに分類された複数の医用画像のうち第１医用画像を前記表示手段に表示させ、且つ、表示させる医用画像を前記第１医用画像から前記第１グループに分類された医用画像であって前記第１医用画像とは異なる第２医用画像に切り替える場合には前記示手段に表示された前記第１医用画像に対する処理が施された状態で前記第２医用画像を前記表示手段に表示させる工程と、
を有することを特徴とする制御方法。
【請求項７】
請求項６記載の制御方法の各工程をコンピュータに実行させることを特徴とするプログラム。
【発明の詳細な説明】
【技術分野】
【０００１】
本発明は、患者の診療情報を電子データとして制御する制御装置および制御方法に関する。
【背景技術】
【０００２】
近年のネットワークの発展に伴い、コンピュータシステムを利用した電子カルテシステムの利用範囲が広がっている。医療現場にて施術内容について事前に確認を取るために開催される術前カンファレンスにおいても、紙やフィルムの資料に代わり、電子化された資料をディスプレイやプロジェクタに表示するようになりつつある。
【０００３】
術前カンファレンスを実施するために、担当の医師は大量の患者情報から施術内容を決定するのと合わせて、カンファレンスにて説明する患者情報を選別し、当日利用できるように整理しておく必要があった。
【０００４】
このような説明用資料を用意する手間を軽減するために、例えば特許文献１や特許文献２には、準備段階で資料を効率よく検索し、また、当日用の資料として整理する技術が提案されている。
【０００５】
特許文献１では、時間軸・検査項目の２軸の表に展開した検査実績表からカンファレンスに利用する画像を選択し、前記検査実績表のカンファレンス当日の項に登録する。また、カンファレンス当日は、登録した画像を呼び出す。
【０００６】
特許文献２では、医療に関する資料を多くのサーバより取得する際、患者の診療名・治療の進捗状況により資料を選定する。
【０００７】
これらの特許文献では、大量の患者資料から目的となる資料を効率よく検索し、事前準備の負荷を抑えることができる。
【先行技術文献】
【特許文献】
【０００８】
【特許文献１】特開２００５−４３９５１号公報
【特許文献２】特開２００９−１９３１５７号公報
【発明の概要】
【発明が解決しようとする課題】
【０００９】
しかしながら、上述の従来技術では、発表資料の事前準備そのものを省くことはできない。医師は施術内容の決定だけではなく、説明用の資料の準備にも時間を割く必要がある。また、術前カンファレンスでは多くの施術を短時間で確認していくため、その場で追加資料を求められても事前に準備していなければ制限時間内に資料を探すのが困難である。
【００１０】
また、このような電子カルテシステムを用いて表示された電子カルテを効率よく印刷することができなかった。
【００１１】
本発明は上述した問題の一つを解決するためになされたものであり、事前準備を行わなくとも、必要な資料を術前カンファレンスの場で素早く検索し、表示可能な制御装置および制御方法を提供することを目的とする。
【００１２】
また、別の本発明は上述した問題の一つを解決するためになされたものであり、表示した電子カルテを効率よく印刷可能な制御装置および制御方法を提供することを目的とする。
【課題を解決するための手段】
【００１３】
本発明に係る制御装置は、
表示手段に表示された、それぞれ医用画像に対応付けられた複数のサムネイル画像から複数のサムネイル画像を選択する選択手段と、
前記選択手段により選択された後に、前記選択手段により選択された複数のサムネイル画像に対応付けられた複数の医用画像それぞれの撮影条件に応じて、同一の撮影条件の医用画像同士が同一のグループとなるように前記複数の医用画像を複数のグループに分類する手段と、
前記複数のグループにおける１のグループである第１グループにおいて、前記第１グループに分類された複数の医用画像のうち第１医用画像を前記表示手段に表示させ、且つ、表示させる医用画像を前記第１医用画像から前記第１グループに分類された医用画像であって前記第１医用画像とは異なる第２医用画像に切り替える場合には前記表示手段に表示された前記第１医用画像に対する処理が施された状態で前記第２医用画像を前記表示手段に表示させる表示制御手段と、
を有する。
【発明の効果】
【００１４】
本発明によれば、事前準備を行わなくとも、必要な資料を術前カンファレンスの場で素早く検索し、表示させることができる。
【図面の簡単な説明】
【００１５】
【図１】（ａ）実施形態１における電子カルテ表示装置のブロック構成図  （ｂ）実施形態１における制御部１０１のブロック構成図
【図２】実施形態１におけるサムネイル画像表示処理を示すフローチャート
【図３】実施形態１におけるサムネイル画像表示画面
【図４】実施形態１における電子カルテ表示処理を示すフローチャート
【図５】実施形態１における電子カルテ表示画面
【図６】実施形態１における電子カルテ表示切り替え処理を示すフローチャート
【図７】実施形態１における電子カルテ表処理を示すフローチャート
【図８】実施形態２におけるサムネイル画像表示処理を示すフローチャート
【図９】実施形態２におけるサムネイル画像表示画面
【図１０】実施形態２におけるタイムライン拡縮処理を示すフローチャート
【図１１】実施形態２におけるタイムライン拡縮処理画面
【図１２】実施形態２における電子カルテ表示切り替え処理を示すフローチャート
【図１３】実施形態２における電子カルテ表示切り替え画面
【図１４】実施形態３における電子カルテ印刷処理を示すフローチャート
【図１５】実施形態３における患者情報表示画面
【図１６】実施形態３における医用画像選択画面
【図１７】実施形態３における印刷ページ選択画面
【図１８】実施形態３における電子カルテレイアウト処理を示すフローチャート
【図１９】実施形態４における電子カルテレイアウト処理を示すフローチャート
【発明を実施するための形態】
【００１６】
以下、添付の図面を参照して、本発明をその好適な実施形態に基づいて詳細に説明する。なお、以下の実施形態において示す構成は一例に過ぎず、本発明は図示された構成に限定されるものではない。
【００１７】
＜実施形態１＞
図１は実施形態１における電子カルテ表示装置のブロック構成図である。
【００１８】
図１において、１０１は装置全体の制御を司る制御部であり、ＣＰＵ等で構成される。１０２はブートプログラムやＢＩＯＳ、各種アプリケーション、データファイル等が記憶される記憶部であり、ＲＯＭ、ＲＡＭ、ＨＤＤ等の記憶媒体から構成される。１０３はビデオメモリを内蔵し、制御部１０１の制御の下で描画処理及び表示用のビデオ信号を生成し、出力する表示部であり、表示部１０３に接続された１つ以上のモニタにビデオメモリの内容を表示する。１０４は入力装置として機能するキーボード・ポインティングデバイス制御機能を有する入力部であり、接続されたキーボード・マウス・デジタイザ等の入力装置からの操作情報を受信して、その操作情報に応じて各種処理を実行する。１０５は印刷部であり、接続されたプリンターから電子カルテ等を印刷する。１０６はネットワークを介して電子データを送受信するネットワークＩ／Ｆ部であり、ネットワーク上の電子カルテサーバより電子カルテ等を取得する。
【００１９】
電子カルテ表示プログラムは、記憶部１０２に記憶されており、制御部１０１で実行される。
【００２０】
図２は、電子カルテのサムネイル表示処理の一例を示すフローチャートである。図２のフローチャートにより、患者の電子カルテが分類された状態でサムネイル表示される例を示す。
【００２１】
ステップＳ２０１〜Ｓ２０３では、ＩＣカードに埋め込まれた患者の情報を元にこれまでの患者の診療情報・電子カルテを取得するものであり、国民ＩＤ等で実現されることを想定している。ステップＳ２０１において、取得部１０７は患者が所有するＩＣカードより、患者を一意に特定する患者ＩＤを取得する。ステップＳ２０２において、取得部１０７は、ＩＣカードより患者の診療履歴を取得する。ステップＳ２０３において、取得部１０７は、診療履歴より患者の電子カルテを格納している外部装置（たとえば電子カルテサーバ）を特定する。そして電子カルテサーバに対し患者ＩＤにより認証を行い、患者の過去の診療履歴までさかのぼり電子カルテを取得する。
【００２２】
ステップＳ２０４において、編集部１０８は、収集した電子カルテを、カルテの種類もしくはフォーマット毎に分類する。本形態１では、『画像データ』『検査／理学データ』『自動診断（ＣＡＤ）データ』の分類とする。ステップＳ２０５において、編集部１０８は、分類した電子カルテを時間順でソートする。ステップＳ２０６において、サムネイル生成部１０９は、電子カルテのサムネイル画像を生成する。画像データであれば縮小画像を生成し、検査／理学データであれば、データをグラフ化するなど視覚化した画像を生成する。
【００２３】
ステップＳ２０７において、表示制御部１１１は、分類した電子カルテのサムネイル画像を、ソートした順に表示する。
【００２４】
図３は、電子カルテのサムネイル画像表示画面の一例である。サムネイルはサムネイル画像表示領域３０２に表示される。サムネイル画像表示領域３０２は複数のタブから構成されており、分類毎に分けたサムネイルをそれぞれ別のタブで表示させる。分類毎にサムネイルの表示位置を分けることで、図３（ａ）は画像データのサムネイルを表示、図３（ｂ）は検査／理学データを表示し、図３（ｃ）は自動診断（ＣＡＤ）データを表示している。なお、サムネイル画像表示領域３０２より詳細画像表示領域３０１へサムネイル画像をドラッグ＆ドロップすることで、詳細画像表示領域３０１に対応する電子カルテが表示される。図３（ａ）〜（ｃ）では、図３（ａ）の最上位２つのサムネイルに対応する電子カルテが、中央の詳細画像表示領域に表示されている。
【００２５】
図４は、電子カルテ表示処理の一例を示すフローチャートである。図４のフローチャートではＭＲＩ画像、ＣＴ画像、Ｘ線画像、眼底画像のうち、撮影属性のうち一つ以上の情報が一致する画像が、時系列による変化を確認できるものとして、グループ化されて時系列順に重ねて表示される例を示す。ここで撮影属性とは撮影部位・撮影位置・撮影角度・撮影方法等の情報である。
【００２６】
ステップＳ４０１にて、グループ化部１１０はユーザが同時に複数のサムネイルを詳細表示領域へドロップしたことを検知すると、ステップＳ４０２〜Ｓ４０６にてサムネイルに対応する電子カルテが全て同じグループかどうかを判定する。ステップＳ４０２〜Ｓ４０３では、グループ化部１１０は、電子カルテの撮影方法を確認し、全ての電子カルテが同じ撮影方法かどうかを確認する。ステップＳ４０４では、同じ撮影方法と判断されたものが全て画像データであるかどうか判断する。ここで、ＭＲＩ画像、ＣＴ画像、Ｘ線画像、眼底画像が画像データとして分類されるものとする。
【００２７】
ステップＳ４０５〜Ｓ４０６にて、グループ化部１１０は、画像の撮影部位・撮影角度が一致しているかどうかを判断し、時系列の変化が確認できるものかどうか最終判断を行う。ステップＳ４０２〜Ｓ４０６で時系列変化を確認できる電子カルテだと判断されると、ステップＳ４０７にてドロップされた電子カルテを同一グループと判断する。
【００２８】
ステップＳ４０８にて表示制御部１１１は、グループ内の最新画像を詳細画像表示領域に表示させる。更に、ステップＳ４０９にてグループ内の画像を切り替えるためのボタンを表示させる。一方、ステップＳ４０２〜Ｓ４０６にて時系列変化を確認できないものだと判断された場合は、ドロップされた電子カルテをそれぞれ独立して表示させる。
【００２９】
図５は、グループ化された電子カルテ画像表示画面の一例である。サムネイル画像表示領域３０２よりＸ線画像のサムネイル４枚を選択した状態でサムネイル画像を詳細画像表示領域３０１へドラッグ＆ドロップすると、図４のフローチャートに沿って処理が行われる。結果、『全てＸ線画像であり、胸部を正面から撮影したもの』と判断され、４枚の電子カルテがグループ化される。更に、４枚の電子カルテのうち１日前に撮影された最新の電子カルテが詳細画像表示領域３０１に表示され、４枚の電子カルテを切り替えるためのボタン５０１が表示される。表示結果は図５（ａ）となる。ユーザはボタン５０１をクリックすることで電子カルテを切り替えることができる。この処理は表示制御部１１１で処理される。実際に切り替えた結果を図５（ａ）〜（ｄ）に示す。
【００３０】
これにより、電子カルテの枚数が増えても多くの資料を並べる手間が省け、また、選択した電子カルテから見せるものを選ぶ操作も即座に実施できるようになる。更に、同じ場所を撮影した電子カルテを同じ位置に表示させることになるので差分となる部分を強調して説明するための資料もその場で用意することができるようになる。
【００３１】
図６は、電子カルテ表示切り替え処理の一例を示すフローチャートである。図６のフローチャートでは、電子カルテの表示を切り替えるだけでなく、切り替える際に各電子カルテの同じ範囲を表示させ、時系列による変化の確認を容易にする。なお、電子カルテ画像は拡大率・表示範囲・表示スライスの変更が可能である。
【００３２】
ステップＳ６０１によりボタン５０１をクリックされたことを検出すると、ステップＳ６０２〜６０４で電子カルテ画像の表示切り替え処理を行う。表示制御部１１１はステップＳ６０２で現在表示している電子カルテの拡大率・表示範囲・表示スライス番号を取得する。その後、ステップＳ６０３にてクリックされたボタンに対応する電子カルテを表示し、ステップＳ６０４にてステップＳ６０２で取得した拡大率・表示範囲・表示スライス番号を電子カルテの表示に適用する。
【００３３】
これにより、ＣＴやＭＲＩのような一つ一つが大量の画像から構成されるような電子カルテからも必要な領域・スライスをその場で切り出し説明資料とすることができるようになる。
【００３４】
以上説明したように、本形態１によれば、ユーザはその場で説明に必要な電子カルテを素早く選択し、更に電子カルテ間を比較する資料もその場で用意することができるようになる。また、複数の電子カルテから必要な部分を切り出した資料もその場で用意することができるようになる。
【００３５】
尚、本実施形態では、ユーザが時系列を確認する電子カルテを自分で選択した上で表示させる例を挙げているが、これに限定されない。例えば、ユーザが１つの電子カルテを選択すると、自動的に時系列で比較できる他の電子カルテをグループ化しても良い。図７に、自動的にグループ化するフローチャートを示す。ユーザがサムネイルを詳細画像表示領域にドロップしたことを検知（ステップＳ８０１）すると、その電子カルテと時系列で比較できる画像を自動的に選択し（ステップＳ８０２〜Ｓ８０４）、グループ化する（ステップＳ８０５）。
【００３６】
これにより、ユーザは時系列で比較する電子カルテを全て探し出す必要がなくなり、説明用の資料をより素早く表示させることができる。
【００３７】
また、画像データとしてＭＲＩ画像、ＣＴ画像、Ｘ線画像、眼底画像に限る必要はなく、他の画像データをグループ化してもよく、また画像データ以外のデータであっても時系列で比較できる資料をグループ化してもよい。グループ間で表示状態を引き継ぐ際も、単純に拡大率・表示領域・スライス番号を引き継ぐだけではなく、画像認識等の技術を利用して同一の箇所を撮影しているスライスを自動的に選択し、切り出す領域も自動的に選択されるようにしてもよい。
【００３８】
＜実施形態２＞
実施形態２では、サムネイルを表示する段階で電子カルテのグループ化を行うサムネイル表示処理の一例を示す。実施形態２は、実施形態１とは異なり詳細画像表示領域として詳細画像表示用ディスプレイ（図示せず）が接続され、サムネイル画像を選択することで詳細画像表示用ディスプレイ上に電子カルテが表示されるものとする。
【００３９】
図８は、電子カルテのサムネイル画像表示処理の一例を示すフローチャートである。図２のフローチャートにより、患者の電子カルテがフォーマット毎に分類され、更に時系列で経過が観察できるものに対しては更に別にグループ化され表示される例を示す。
【００４０】
ステップＳ２０１〜Ｓ２０６は、実施形態１と同様、患者の電子カルテを収集し、フォーマットで分類し、サムネイル画像を生成する。実施形態２では、電子カルテの分類として「診療録（診療所毎に異なる）」「その他」を利用する。更に、ステップＳ８０１にて表示部１０３はタイムライン及び日付を付与したタグを表示し、ステップＳ８０２にて分類した電子カルテのサムネイルを、領域を分けて表示する。
【００４１】
更に、ステップＳ８０３〜Ｓ８０７においてグループ化部１１０は、時系列で比較できる電子カルテをグループ化し、表示させる。ステップＳ８０２〜８０３においてグループ化部１１０は撮影属性が共通の電子カルテを選別し、ステップＳ８０４で共通のものをそれぞれグループ化する。更に、ステップＳ８０５にて、ステップＳ８０１とは独立したタイムラインをグループごとに用意し、表示制御部１１１が、グループ化された電子カルテのサムネイルを独立したタイムライン上へ移動させる。
【００４２】
図９は、電子カルテのサムネイル画像表示画面の一例である。この画面は前面がサムネイル表示用の領域であり、電子カルテを表示するための詳細画像表示領域は別に用意されたディスプレイ（図示せず）上に提供されている。全体のタイムライン９０１に沿って、「診療録」のサムネイルおよび「その他」のサムネイルが診療所毎（９１１〜９１４）に表示されている。また、診療所毎にまとめて撮影されたＸ線画像・ＭＲＩ画像は、それぞれ独立したタイムライン９０２、９０３上にそれぞれグループ化されて表示される（９２１、９２２）。
【００４３】
これにより、患者に関するカルテが自動的に分類され、一覧表示されるので、ユーザは必要な電子カルテをその場ですぐに見つけ出すことができるようになる。また、時系列で比較可能な電子カルテは更にグループ化されて表示されるので、時系列の変化を確認するための複数の資料もすぐに取り出すことが出来るようになる。
【００４４】
図１０は、タイムライン拡縮処理の一例を示すフローチャートである。図１０のフローチャートでは、サムネイルの密度が高すぎて探し出すべき電子カルテが埋もれてしまう場合に、素早く目的の電子カルテを取り出すことが可能になる。なお、この処理では、複数座標を同時に指定できるマルチ入力対応デジタイザ等のハードウェアを利用する。
【００４５】
ユーザがタイムライン上の２つのタグを左右に引き伸ばし、もしくは近づける操作を検知（ステップＳ１１０１）すると、表示制御部１１１は、指定されたタグの移動を行う（ステップＳ１１０２）。続いて、表示制御部１１１は、タグの移動方向を判断し（ステップＳ１１０３）、タグが引き伸ばされたのであればその間のタイムラインを広げ（ステップＳ１１０４）、その前後の範囲は縮める（ステップＳ１１０５）。逆に、タグが近づけられた場合はその間のタイムラインを縮め（ステップＳ１１０６）、その前後の範囲は広げる（ステップＳ１１０７）。そして、タイムラインが広がった範囲のサムネイル画像はタイムラインの広がりに合わせて間隔が広げられ、タイムラインの縮まった範囲のサムネイル画像は間隔が狭められる。間隔の変化によりサムネイル画像が重なり、また、画像の重なりが解消される。
【００４６】
図１１は、タグを左右に引き伸ばした画面の一例である。図１１（ａ）は引き伸ばす前の画面であり、ＭＲＩ画像１１１１の表示密度が高く、必要な電子カルテが見つけにくい状況である。ユーザがタイムライン１００１上のタグ１１０１、１１０２を同時にドラッグし、左右に引き伸ばすと、図１１（ｂ）の状態となる。タグ１１０１と１１０２の間のタイムラインは引き伸ばされ、その間に細かいタグ（１１０３〜１０７）が表示される。また、ＭＲＩ画像１１１１のタイムライン１１１２も引き伸ばされ、サムネイルの間隔が確保され、画像の重なりが解消され、それぞれのサムネイル画像が確認できるようになる。一方、タグの前後のタイムラインは縮められ、サムネイルの間隔が狭められ、表示が重なるようになる。
【００４７】
これにより、電子カルテが数多く収集されサムネイルが重なってしまう状況であっても、重なりをすぐに解消し、必要な電子カルテをすぐに取り出すことができるようになる。
【００４８】
図１２は、電子カルテ表示切り替え処理の一例を示すフローチャートである。図１２のフローチャートでは、タイムラインをなぞる操作だけで多くの電子カルテを素早く切り替えて表示させることができる。なお、実施形態１同様、電子カルテを切り替えても同じ範囲を表示させることができる。
【００４９】
ステップＳ１２０１によりユーザがタイムラインでドラッグを開始したことを検知すると、ステップＳ１２０２にて既に同じグループの電子カルテが詳細画像表示領域にされているかどうかを判断する。表示されていると判断されると、ステップＳ６０２にて現在表示中の電子カルテの表示状態を取得する。ステップＳ６０２は実施形態１と共通の処理を行う。ステップＳ１２０３では、ドラッグ中の位置に最も近いサムネイルを選択し、ステップＳ１２０４にてサムネイルに対応する電子カルテを詳細画像表示領域に表示させる。更にステップＳ６０４にて表示する電子カルテに対し、それまでに表示していた電子カルテの表示状態を適応する。ステップＳ６０４も、実施形態１と共通の処理となる。ステップＳ１２０５では、ユーザがドラッグ操作を継続しているかどうかを判断し、継続していれば再度Ｓ１２０３、Ｓ１２０４，Ｓ６０４を実施し、ドラッグ位置が変化して他のサムネイルが指定されていれば対応する電子カルテに表示を切り替える。なお、図示していないが、Ｓ１２０３にて選択された電子カルテがそれまでに表示されていた電子カルテと同じものの場合、詳細画像表示領域の更新処理をスキップしてもよい。
【００５０】
図１３は、電子カルテ表示切り替え操作の一例を示す図である。ユーザがタイムライン１１１２の左端でドラッグ操作を開始すると、ＭＲＩ画像１１１１から左端のサムネイル画像が選択され、対応する電子カルテが詳細画像表示領域に表示される。ドラッグを開始した状態を図１３（ａ）に示す。その後、ユーザがドラッグ状態を維持したままタイムライン１１１２の指定位置を右側にずらずと、指定するサムネイルが変わり、詳細画像表示領域に表示される電子カルテが切り替わる。指定位置を変更した状態を図１３（ｂ）に示す。同様に、ドラッグ位置を左右に動かすことで、指定するサムネイルを順に変更することが可能になり、説明用資料を素早く切り替えていくことができるようになる。また、図１０に示したタイムラインの拡縮処理を組み合わせることで、説明用資料として電子カルテを取り出す範囲などを自由に変更することができる。
【００５１】
以上説明したように、実施形態２によれば、サムネイル表示時に電子カルテ間をグループ化することで、時系列に比較する電子カルテを容易に特定することができ、また、スライドバーをなぞることで電子カルテ間を比較することもその場で実施できる。また、電子カルテが大量に収集された場合も、タイムラインの特定の範囲を拡大することでサムネイルが埋もれた状態を簡単に解消でき、必要な電子カルテをすぐに取り出すことが出来るようになる。
【００５２】
なお、実施形態１、２では共に収集した電子カルテを全て処理の対象としていたが、これに限定されない。電子カルテの収集範囲を、期間・部位・診察場所等の条件で限定してもよい。また、タイムライン表示時に全ての期間を表示させるだけでなく、一定の期間のみ表示され、それ以外の範囲は画面をスクロールさせて表示させるようにしてもよい。
【００５３】
また、電子カルテの収集時にＩＣカードに埋め込まれた情報をその場で取り出し利用しているが、事前に情報を取り出してもよく、また、ＩＣカード以外の情報（例えば保険証など）をキーにして情報を取り出してもよい。また、患者・医者の記憶などを頼りに情報を取り出しても良い。
【００５４】
なお、用途として術前カンファレンスを想定しているが、用途はこれに限定されない。通常の診察時、術前カンファレンス前の施術内容検討時など、電子カルテを閲覧する必要があればどのような状況でも利用することができる。
【００５５】
＜実施形態３＞
本実施形態では、ディスプレイ上に表示した電子カルテを印刷する方法を示す。電子カルテの印刷プログラムは、図１の記憶部１０２に記憶されており、制御部１０１上で実行される。
【００５６】
図１４は、電子カルテ印刷処理の一例を示すフローチャートである。ステップＳ１４０１において、制御部１０１は印刷対象となる電子カルテの選択を行う。ステップＳ１４０２において、制御部１０１は選択された電子カルテから患者情報を取得して表示する。図１５は、患者情報表示画面の一例である。患者情報として、氏名や担当医、既往歴や診断結果がエリア１５０１表示される。ステップＳ１４０３において、制御部１０１は電子カルテから選択した患者の医用画像をエリア１５０２表示する。ステップＳ１４０４において、制御部１０１は印刷対象となる医用画像を選択する。
【００５７】
図１６は、医用画像選択画面の一例である。医用画像として、Ｘ線写真、エコー画像、眼底画像、心電図などが表示される。医用画像の片隅にチェックボックス１６０１が表示されており、チェックを行うことで画像の選択と解除を切り替える。
【００５８】
ステップＳ１４０５において、制御部１０１は図１８に示す電子カルテレイアウト処理を行う。ステップＳ１４０６において、制御部１０１は生成されたレイアウト結果から印刷ページを選択する。図１７は、印刷ページ選択画面の一例である。レイアウト結果として、診断結果と医用画像をレイアウトしたカルテページ１７０１や、今後の手術やリハビリ計画を示すスケジュールページ１７０２、手術前後の注意事項を示す通知ページ１７０３が表示される。なお、病名や関連症状を解説する解説ページなどが表示されてもよい。ステップＳ１４０７で印刷を指示すると、選択したページが印刷される。
【００５９】
図１８は、電子カルテレイアウト処理の一例を示すフローチャートである。ステップＳ１８０１において、制御部１０１は患者情報から診断結果を取得する。ステップＳ１８０２において、制御部１０１は診断結果に対応するテンプレートを選択する。テンプレートは診断結果ごとに用意されており、高血圧、糖尿病、肝炎、腫瘍、潰瘍などの病状に応じて選択される。ステップＳ１８０３において、制御部１０１は患者情報及び選択された医用画像をテンプレートに従ってレイアウトする。
【００６０】
このように、テンプレートを病状に応じて使い分けることで、カルテの印刷結果を変更することができる。
【００６１】
＜実施形態４＞
図１９は、本実施形態における電子カルテレイアウト処理の一例を示すフローチャートである。ステップＳ１９０１において、制御部１０１は印刷したカルテの配布先を選択する。配布先には、医師、看護師、リハビリトレーナー、患者、患者家族などがある。ステップＳ１９０２において、制御部１０１は患者情報から診断結果を取得する。ステップＳ１９０３において、制御部１０１は患者情報から治療方針を取得する。治療方針には、経過観察、薬物療法、手術などがある。ステップＳ１９０４において、制御部１０１は配布先および診断結果、治療方針に対応するテンプレートを生成する。テンプレートは配布先および病状と治療方針ごとに細分化されて用意されており、それらの組み合わせにより構成される。ステップＳ１９０５では、患者情報及び選択された医用画像をテンプレートに従ってレイアウトする。配布先が医師や看護師以外である場合、ステップＳ１９０５において患者情報に含まれる専門用語を一般用語に変換した上でレイアウトする。
【００６２】
このように、テンプレートを配布先や病状および治療方針に応じて使い分けることで、カルテの利用者に応じた印刷結果を取得することができる。
【００６３】
＜その他の実施形態＞
以上、実施形態例を詳述したが、本発明は例えば、システムやプログラム若しくは記録媒体（記憶媒体）等としての実施態様をとることが可能である。具体的には、複数の機器（例えば、ホストコンピュータ、インタフェース機器、撮像装置、ｗｅｂアプリケーション等）から構成されるシステムに適用しても良いし、また、一つの機器からなる装置に適用しても良い。
【００６４】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【図１】
0005765899.tif 000002
【図２】
0005765899.tif 000003
【図３】
0005765899.tif 000004
【図４】
0005765899.tif 000005
【図５】
0005765899.tif 000006
【図６】
0005765899.tif 000007
【図７】
0005765899.tif 000008
【図８】
0005765899.tif 000009
【図９】
0005765899.tif 000010
【図１０】
0005765899.tif 000011
【図１１】
0005765899.tif 000012
【図１２】
0005765899.tif 000013
【図１３】
0005765899.tif 000014
【図１４】
0005765899.tif 000015
【図１５】
0005765899.tif 000016
【図１６】
0005765899.tif 000017
【図１７】
0005765899.tif 000018
【図１８】
0005765899.tif 000019
【図１９】
0005765899.tif 000020